(57)【要約】【課題】硬質表面の汚れを防止する新しい技術を提供する。【解決手段】硬質表面の防汚処理へのハイドロフォビンの使用、特に表面の洗浄と一緒に行う使用方法で解決する。また、硬質表面の防汚処理方法、硬質表面用の洗剤およびハイドロフォビンを含む防汚コーティングされた硬質表面を提供することで解決する。【選択図】図１【特許請求の範囲】
【請求項１】
硬質表面の防汚処理のためにハイドロフォビンを使用する方法。
【請求項２】
防汚処理を上記表面の洗浄と一緒に行う請求項１に記載の方法。
【請求項３】
上記処理を少なくとも１種のハイドロフォビン、界面活性剤および溶剤を含む洗剤を使用して行う請求項２に記載の方法。
【請求項４】
少なくとも１種のハイドロフォビンおよび溶剤を含む組成物を上記表面に接触させる工程を含む硬質表面の防汚処理方法。
【請求項５】
上記組成物が少なくとも１種のハイドロフォビン、界面活性剤および溶剤を含む洗剤を含む請求項４に記載の方法。
【請求項６】
上記組成物中のハイドロフォビンの量が上記の組成物の全ての成分の合計に対して０．０００１質量％〜１質量％である請求項４または５に記載の方法。
【請求項７】
上記処理を３０℃未満の温度で行う請求項４〜６のいずれか１項に記載の方法。
【請求項８】
上記ハイドロフォビンが少なくとも１種の融合ハイドロフォビンを含む請求項４〜７のいずれか１項に記載の方法。
【請求項９】
上記表面が家庭内にある表面を含む請求項４〜８のいずれか１項に記載の方法。
【請求項１０】
上記の硬質表面が、タイル、床、接続金具、洗面器、シャワーバス、浴槽、トイレ、シャワー室、バスルーム用備品、家具、鏡、食卓用食器類、刃物類、ガラス類、磁器用品の表面または家庭用電化製品の表面から成る群から選択される請求項９に記載の方法。
【請求項１１】
少なくとも１種のハイドロフォビンおよび溶剤を含むことを特徴とする硬質表面用洗剤。
【請求項１２】
少なくとも１種の溶剤が水を含む請求項１１に記載の洗剤。
【請求項１３】
ハイドロフォビンの量が洗剤の全ての成分の合計に対して０．０００１質量％〜１質量％の範囲である請求項１１または１２に記載の洗剤。
【請求項１４】
ハイドロフォビンの量が洗剤の全ての成分の合計に対して０．００１質量％〜０．１質量％の範囲である請求項１１または１２に記載の洗剤。
【請求項１５】
少なくとも１種のハイドロフォビンを含む防汚コーティングを含む硬質表面。
【請求項１６】
請求項４〜１０のいずれか１項に記載の方法によって得られる、請求項１５に記載の硬質表面。
【請求項１７】
上記の硬質表面がタイル、床、接続金具、洗面器、シャワーバス、浴槽、トイレ、シャワー室、バスルーム用備品、家具、鏡、食卓用食器類、刃物類、ガラス類、磁器用品の表面または家庭用電化製品の表面から成る群から選択されることを特徴とする請求項１５または１６に記載の硬質表面。
【発明の詳細な説明】
【技術分野】
【０００１】
本発明は、硬質表面の防汚処理へのハイドロフォビンの使用方法、特に表面の洗浄と一緒に行う使用方法、硬質表面の防汚処理方法、硬質表面の洗浄剤、およびハイドロフォビンを含む防汚コーティングに関する。
【背景技術】
【０００２】
硬質表面、例えば、ガラス製品、陶器製品または床は防汚コーティングして提供されることが知られている。これらの仕上げは汚れの付着を減らし、表面の汚れを制限し、その後の洗浄の手助けとなる。例えば、脂質、油または石灰の残渣は容易に引き離され、または水を流した際の乾燥跡の発生が回避される。
【０００３】
コーティングは、例えばロータス効果を生じるコーティングの様に、恒久的な防汚コーティングとすることができる。
【０００４】
コーティングは一時的なコーティングとすることもできる。一時的な防汚効果は、例えば、表面を洗浄する過程で適用される洗剤の製剤中の物質により達成できる。このような洗剤を使用する重要な分野は台所または衛生エリアの洗剤のような家庭用用途だけでなく、例えば車洗浄用の洗剤などの工業用用途でもある。
【０００５】
ＥＰ−Ａ  ４６７  ４７２には、その後の洗浄工程をより容易にするために、例えば家庭用品の表面のような硬質表面の親水性を上げる組成が開示されている。その製剤には水溶性のイオン性または非イオン性重合体、例えば四級アンモニウムアルキルメタクリラート単位有するカチオン重合体などが含まれる。開示された洗剤製剤には０．０２〜５質量％の重合体を含まれる。
【０００６】
ＷＯ  ０３／００２６２０には硬質表面、例えば石材床またはステンレス面の汚れを除去する重合体として、ジアルキルアミノアルキル（メタ）アクリラートが開示されている。開示された洗剤製剤には０．１〜５％質量％の重合体を含まれる。
【０００７】
ＤＥ−Ａ  １００  ６１  ８９７には、再び汚れることを減らすことになる汚れの剥離性を改良する、親水性のシリカート含有粒子を含む洗浄用組成物が開示されている。粒子は洗浄される物質の表面に取り込まれるため、表面の性質に影響する。
【０００８】
ハイドロフォビンは約１００〜１５０残基のアミノ酸の小さいタンパク質であり、例えばスエヒロタケ（Schizophyllum commune）などの糸状菌の特徴的なものである。それらは8個のシステイン単位を有するのが一般的である。
【０００９】
ハイドロフォビンは界面に顕著な親和性を有し、そのため、表面のコーティングに有用である。例えば、テフロン（登録商標）をハイドロフォビンとコーティングすると親水性表面を得ることができる。
【００１０】
ハイドロフォビンは天然資源から単離することができる。しかし、化学的手法および／またはバイオテクノロジー手法の生産により天然に発生しないハイドロフォビンを合成することもできる。我々の先願であるＤＥ  １０２００５００７４８０．４には天然に発生しないハイドロフォビンの生産方法が開示されている。
【００１１】
先行技術において種々の用途についてハイドロフォビンの使用方法が提案されている。
【００１２】
ＷＯ  ９６／４１８８２は疎水性表面へ親水性特性を付与し、親水性物質の水耐性を改良し、水中油型乳剤または油中水型乳剤を作成して、ハイドロフォビンを乳化剤、増粘剤または界面活性剤として使用する方法を提案する。さらに提案には、軟膏類またはクリーム類の製造の様な薬剤への応用、および肌保護、シャンプーまたはコンディショナーの生産のような化粧品への応用が含まれる。
【００１３】
ＥＰ−Ａ  １  ２５２  ５１６には窓、コンタクトレンズ、バイオセンサー、医療機器、分析用または貯蔵用のコンテナ、船体、固形粒子、または乗用車のフレームまたは車体についてハイドロフォビンを含有する溶液で３０〜８０℃コーティングすることが開示されている。
【００１４】
ＷＯ  ０３／５３３８３には化粧品への応用として角質物質を処理するためのハイドロフォビンの使用方法が開示されている。
【００１５】
ＷＯ  ０３／１０３３１には、ハイドロフォビンをコーティングしたセンサー（例えば、計測用電極）であって、例えば電気活性な物質、抗体または酵素などの物質がさらに非共有結合したセンサーが開示されている。
【００１６】
硬質表面の防汚処理へのハイドロフォビンの使用方法については都の引用文献にも開示されていない。
【００１７】
【特許文献１】ＥＰ−Ａ  ４６７  ４７２
【特許文献２】ＷＯ  ０３／００２６２０
【特許文献３】ＤＥ−Ａ  １００  ６１  ８９７
【特許文献４】ＤＥ  １０２００５００７４８０．４
【特許文献５】ＷＯ  ９６／４１８８２
【特許文献６】ＥＰ−Ａ  １  ２５２  ５１６
【特許文献７】ＷＯ  ０３／５３３８３
【特許文献８】ＷＯ  ０３／１０３３１
【特許文献９】ＷＯ  ９６／４１８８２
【特許文献１０】ＤＥ  １０２００５００７４８０．４
【特許文献１１】ＤＥ−Ａ  １０１  ６０  ９９３
【非特許文献１】Ｗｅｓｓｅｌｓ  ｅｔ  ａｌ．，Ａｎｎ.Ｒｅｖ．Ｐｈｙｔｏｐａｔｈｏｌ．，１９９４年、３２巻、４１３〜４３７頁
【非特許文献２】Ｗｏｓｔｅｎ  ｅｔ  ａｌ．,Ｅｕｒ．  Ｊ  Ｃｅｌｌ  ｂｉｏ．６３巻、１２２−１２９頁（１９９４年）
【非特許文献３】Ｇｏｅｄｄｅｌ，  ｇｅｎｅ  Ｅｘｐｒｅｓｓｉｏｎ  Ｔｅｃｈｎｏｌｏｇｙｋｏｒｏｎ  Ｍｅｔｈｏｄｓ  ｉｎ  Ｅｎｚｙｍｏｌｏｇｙ  １８５巻、Ａｃａｄｅｍｉｃ  Ｐｒｅｓｓ，  Ｓａｎ  Ｄｉｅｇｏ，  ＣＡ（１９９０年）
【非特許文献４】Ｃｌｏｎｉｎｇ  Ｖｅｃｔｏｒｓ（Ｅｄｓ．  Ｐｏｕｗｅｌｓ  Ｐ．  Ｈ．  ｅｔ  ａｌ．  Ｅｌｓｅｖｉｅｒ, Ａｍｓｔｅｒｄａｍ−Ｎｅｗ  Ｙｏｕｋ−Ｏｘｆｏｒｄ， １９８５年、ＩＳＢＮ  ０  ４４４  ９０４０１８）
【非特許文献５】Ｔ．Ｍａｎｉａｔｉｓ，Ｅ．Ｆ．Ｆｒｉｔｓｈ  ａｎｄ  Ｊ．Ｓａｍｂｒｏｏｋ，  Ｍｏｌｅｃｕｌａｒ  Ｃｌｏｎｉｎｇ：Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ，  Ｃｏｌｄ  Ｓｐｒｉｎｇ  Ｈａｒｂｏｒ，  ＮＹ（１９８９年）
【非特許文献６】Ｔ．Ｊ．Ｓｉｈａｖｙ，  Ｍ．Ｌ．Ｂｅｒｍａｎ  ａｎｄ  Ｌ．Ｗ．Ｅｎｑｕｉｓｔ，  Ｅｘｐｅｒｉｍｅｎｔｓ  ｗｉｔｈ  Ｇｅｎｅ  Ｆｕｓｉｏｎｓ，  Ｃｏｌｄ  Ｓｐｒｉｎｇ  Ｈａｒｂｏｒ  Ｌａｂｏｒａｔｏｒｙ，  Ｃｏｌｄ  Ｓｐｒｉｎｇ  Ｈａｒｂｏｒ，ＮＹ（１９８４年）
【非特許文献７】Ａｕｓｕｂｅｌ，Ｆ．Ｍ．ｅｔ  ａｌ．，  Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｇｒｅｅｎｅ  Ｐｕｂｌｉｓｈｉｎｇ  Ａｓｓｏｃ．  ａｎｄ  Ｗｉｌｅｙ  Ｉｎｔｅｒｓｃｉｅｎｃｅ（１９８７年）
【非特許文献８】Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｆ．Ａｕｓｕｂｅｌ  ｅｔ  ａｌ．，Ｅｄｓ．，Ｗｉｌｌｅｙ  Ｉｎｔｅｒｓｃｉｅｎｃｅ，  Ｎｅｗ  Ｔｏｒｋ  １９９７年
【非特許文献９】Ｔｈｏｍａｓ，Ｋ．Ｒ.およびＣａｐｅｃｃｈｉ，Ｍ．Ｒ．（１９８７年）Ｃｅｌｌ  ５１巻、５０３頁
【非特許文献１０】Ｃｏｏｐｅｒ，Ｆ．Ｇ．，Ｂｉｏｃｈｅｍｉｓｈｅ  Ａｒｂｅｉｔｓｍｅｔｈｏｄｅｎ，Ｖｅｒｌａｇ  Ｗａｌｔｅｒ  ｄｅ  Ｇｒｕｙｔｅｒ，  Ｂｅｒｌｉｎ，Ｎｅｗ  Ｙｏｒｋ
【非特許文献１１】Ｓｃｏｐｅｓ，Ｒ．，Ｐｒｏｔｅｉｎ  Ｐｕｒｉｆｉｃａｔｉｏｎ，  Ｓｐｒｉｎｇｅｒ  Ｖｅｒｌａｇ，  Ｎｅｗ  Ｙｏｒｋ，  Ｈｅｉｄｅｌｂｅｒｇ，Ｂｅｒｌｉｎ
【非特許文献１２】Ｈａｒｌｏｗ，ＥおよびＬａｎｅ，Ｄ．，１９８８年，Ａｎｔｉｂｏｄｉｅｓ：Ａ  Ｌａｂｏｒａｔｏｒｙ  Ｍａｎｕａｌ．Ｃｏｌｄ  Ｓｐｒｉｎｇ  Ｈａｒｂｏｒ（Ｎ．Ｙ．）Ｐｒｅｓｓ
【非特許文献１３】Ｓｅｉｆｅｎ，Ｆｅｔｔｅ，Ｏｌｅ，Ｗａｃｈｓｅ（ＳＯＦＷ）−Ｊｏｕｒｎａｌ，１２４巻、１４／９８、１０２９頁
【発明の開示】
【発明が解決しようとする課題】
【００１８】
本発明の目的は汚れを防止する新しい技術を提供することである。
【課題を解決するための手段】
【００１９】
硬質表面の防汚処理にハイドロフォビンを使用することにより、本目的が達成されることが見出された。本発明の好ましい一実施形態において、防汚処理は表面の洗浄と一緒に行って効果を発揮する。
【発明の効果】
【００２０】
本発明は硬質表面の防汚処理へのハイドロフォビンの使用方法、特に表面の洗浄と一緒に行う使用方法を提供する。
【００２１】
第２の面として、本発明は少なくとも１種のハイドロフォビンおよび少なくとも１種の溶剤を含む組成の接触面を含む硬質表面の防汚処理方法を提供する。
【００２２】
第３の面として、本発明は少なくとも１種のハイドロフォビン、少なくとも１種の界面活性剤および少なくとも１種の溶剤を含む硬質表面の洗剤を提供する。
【００２３】
第４の面として、本発明はハイドロフォビンを含む防汚コーティングを含む硬質表面を提供する。
【発明を実施するための最良の形態】
【００２４】
本発明を以下に詳述する。
【００２５】
「硬質表面」の用語は当業者に知られている。硬質表面は最小限に要約した意味での表面であり、特に、滑らかな表面、例えばガラス、陶器、ステンレス鋼または真鍮の様な金属類、エナメル、プラスチックの表面および／またはラッカー塗装した表面である。例えば、ラッカー塗装した表面には、ラッカー塗装した自動車車体または家庭用品の表面が含まれる。特に、硬質表面には典型的な家庭内にある表面、例えば、タイル、床、接続金具(fittings)、洗面器、シャワーバス、浴槽、トイレ、シャワー室(shower cabins)、バスルーム用備品、例えばテーブル、椅子、食器棚などの台所用家具、作業面またはその他の家具、鏡、窓、食卓用食器類、刃物類、ガラス類、磁器用品または洗濯機、皿洗い機、調理器またはガス排出フードの様な家庭用電化製品の表面が含まれる。
【００２６】
「防汚」の用語は当業者に知られている。表面の防汚処理はその汚れを制御し、および／または表面から汚れを除去することを容易にする。汚れは固体および／または液体による既知のどのような種類の望ましくない硬質表面の汚れをも含む。例えば、汚れには脂肪、油、タンパク質、食べ残し、埃または泥が含まれる。また、汚れには、例えば硬水のために生成する水の乾燥跡のような石灰の沈着も含まれる。さらに、例として、身体の洗浄用および手入れ用の薬剤残渣、または硬水と併せてそのような洗浄用および手入れ用薬剤から生成し、例えば洗面器、シャワー室または浴槽に沈着する不溶性の石灰石鹸質が含まれる。
【００２７】
本発明に従って、少なくとも1種のハイドロフォビンが硬質表面の防汚処理に使用される。1種だけのハイドロフォビンを使用することができ、または複数種の異なるハイドロフォビンの混合物を使用することができる。
【００２８】
本書で使用される「ハイドロフォビン」の用語は以下に示す、一般構造式（Ｉ）
【００２９】
【化１】
2008534726.tif 000002
【００３０】
[上記式中、Ｘは２０種の天然アミノ酸（フェニルアラニン、ロイシン、セリン、チロシン、システイン、トリプトファン、プロリン、ヒスチジン、グルタミン、アルギニン、イソロイシン、メチオニン、スレオニン、アスパラギン、リジン、バリン、アラニン、アスパラギン酸、グルタミン酸、グリシン）であり、各々のＸは同一または異なっている。Ｘの隣の指数はそれぞれの場合のアミノ酸残基数を示しており、Ｃはシステイン、アラニン、セリン、グリシン、メチオニンまたはスレオニンを示し、ただし、Ｃで表されるアミノ酸の少なくとも４個はシステインである。指数ｎおよびｍは０〜５００の範囲、好ましくは１５〜３００の範囲の独立した自然数である。]
のポリペプチドのことを言う。
【００３１】
さらに、式（Ｉ）のポリペプチドは、（ガラス面をコーテインクした後の）特性として、水滴の接触角を、コーティングしていないガラス面で同サイズの水滴により形成される接触角と比較し、少なくとも２０°、好ましくは２５°、さらに好ましくは３０°および最も好ましくは３５°まで増加させることにより特徴づけられる。
【００３２】
Ｃ1〜Ｃ8で示されるアミノ酸は、好ましくはシステインであるが、それらは同様な容積の他のアミノ酸、好ましくはアラニン、セリン、スレオニン、メチオニンまたはグリシンと置換されても良い。しかしながら、Ｃ1〜Ｃ8の位置の少なくとも４個、好ましくは少なくとも５個、さらに好ましくは少なくとも６個および特に好ましくは７個がシステインで構成されている方が良い。本発明によるタンパク質中のシステインは還元型を示しても、または他の一つとジスルフィド架橋を形成しても良い。特に、少なくとも１個、好ましくは２個、さらに好ましくは３個および最も好ましくは４個の分子間ジスルフィド架橋を伴う、分子間のＣ−Ｃ架橋の形成が特に好ましい。上記のシステインが他の同様な容積のアミノ酸に置換する場合、そのＣ−位置が互いに分子間ジスルフィド架橋を形成できるように対交換を伴うことが有利である。
【００３３】
システイン、セリン、アラニン、グリシン、メチオニンまたはスレオニンがＸで指定された位置に用いられる場合、一般式における個々のＣ−位置の番号は適宜変化する。
【００３４】
好ましくは、一般式（ＩＩ) 
【００３５】
【化２】
2008534726.tif 000003
【００３６】
[上記式中、Ｘ、ＣおよびＸの隣の指数はそれぞれ上記と同様であり、指数ｎおよびｍは０〜３００の範囲の数値を示し、さらに、そのタンパク質は上記の接触角の変化により識別される。]
のハイドロフォビンを使用する。
【００３７】
さらに好ましくは、一般式（ＩＩＩ）
【００３８】
【化３】
2008534726.tif 000004
【００３９】
[上記式中、Ｘ、ＣおよびＸの隣の指数はそれぞれ上記と同様であり、指数ｎおよびｍは０〜２００の範囲の数値を示し、さらに、そのタンパク質は上記の接触角の変化により識別され、さらに、Ｃで表されるアミノ酸の少なくとも６個がシステインである。特に好ましくはＣで表される全てのアミノ酸がシステインである。]
のハイドロフォビンを使用する。
【００４０】
ＸnおよびＸm残基はハイドロフォビンへ天然に結合するペプチド配列でも良い。しかしながら、ＸnおよびＸmのどちらか一方または両方ともがハイドロフォビンに天然には結合しないペプチド配列でも良い。これはＸnおよび／またはＸm残基について、ハイドロフォビン中に天然に生じるペプチド配列が天然に生じないペプチド配列により延長されている場合も含まれる。
【００４１】
Ｘnおよび／またはＸmがハイドロフォビンにおいて天然に生じないペプチド配列である場合、その配列の長さは一般的に少なくとも２０残基のアミノ酸、好ましくは少なくとも３５残基のアミノ酸、さらに好ましくは少なくとも５０残基のアミノ酸および最も好ましくは少なくとも１００残基のアミノ酸である。ハイドロフォビンに天然に結合しないこの種の残基は後述のように、融合パートナー部分（fusion partner portion）とも言う。これはそのタンパク質が１種のハイドロフォビン部分、および天然にはこの形態で共に生じない融合パートナー部分とから成る事実を明確にすることを目的としている。
【００４２】
融合パートナー部分は多数のタンパク質から選択される。複数の融合パートナー部分を１種のハイドロフォビン部分、例えば、ハイドロフォビン部分のアミノ末端（Ｘｎ)またはカルボキシ末端（Ｘｍ）に結合させることもできる。しかしながら、例えば、本発明により使用されるタンパク質の１位置（ＸｎまたはＸｍ）に２個の融合パートナー部分を結合させることもできる。
【００４３】
特に安定な融合パートナー部分は微生物、特にE.coliまたはBacillus subtilisにおいて天然に生じるポリペプチドである。このような融合パートナー部分の例としては、ｙａａｄ配列（ＳＥＱ  ＩＤ  ＮＯ：１５および１６）、ｙａａｅ配列（ＳＥＱ  ＩＤ  ＮＯ：１７および１８）およびチオレドキシンが挙げられる。また、上記配列の断片または誘導体で、その配列の一部分のみ、好ましくは７０〜９９％およびさらに好ましくは８０〜９８％を含む、または上記の配列と比較して特定のアミノ酸またはヌクレオチドが改変されたものは非常に適している。
【００４４】
さらに、本発明により使用されるタンパク質をそれらのペプチド配列において、例えばグリコシル化、アセチル化または他の例えばグルタルアルデヒドなどの化学的架橋結合により修飾してもよい。
【００４５】
本発明により使用されるタンパク質の一特性は、表面がそのタンパク質でコーティングされると、表面特性が変化することである。表面特性における変化はタンパク質による表面のコーティング前後における水滴の接触角を測定し、両測定値間の差異を測定することにより実験的に測定できる。
【００４６】
接触角の測定する方法の原理は当業者に知られている。接触角の測定についての正確な実験条件は実施例の実験部分に示す。その条件において、本発明により使用されるタンパク質はガラス表面の水滴の接触角を少なくとも２０°、好ましくは少なくとも２５°およびさらに好ましくは３０°まで増加させる特性を有する。
【００４７】
今まで知られているハイドロフォビン類のハイドロフォビン部分において極性および非極性アミノ酸残基の位置は保存されており、結果として疎水性の性質が生じている。今まで知られているハイドロフォビン類は生物物理学的性質および疎水性における違いにより、ＩおよびＩＩの２種のクラスに分類される（Ｗｅｓｓｅｌｓ  ｅｔ  ａｌ．，Ａｎｎ.Ｒｅｖ．Ｐｈｙｔｏｐａｔｈｏｌ．，１９９４年、３２巻、４１３〜４３７頁）。
【００４８】
作製されたクラスＩのハイドロフォビン類の膜は不溶性性が高く（温度を高めた１質量％ドデシル硫酸ナトリウム（ＳＤＳ）水溶液でも不溶である）、高濃度のトリフルオロ酢酸（ＴＦＡ）またはギ酸によってのみ再び解離することができる。一方、作成されたクラスＩＩのハイドロフォビン類の構造はより不安定である。それらは６０質量％エタノールまたは１質量％ＳＤＳ(室温で)によって再び解離することができる。
【００４９】
アミノ酸配列の比較によると、システインＣ3及びシステインＣ4間の領域がクラスＩのハイドロフォビン類の場合よりクラスＩＩのハイドロフォビン類の場合がはっきりと短いことが明らかである。さらにクラスＩＩのハイドロフォビンはクラスＩの場合よりアミノ酸の電荷が高い。
【００５０】
特に好ましい本発明の実施形態のハイドロフォビン類はタイプｄｅｗＡ，ｒｏｄＡ、ｈｙｐＡ、ｈｙｐＢ，ｓｃ３，ｂａｓｆ１、ｂａｓｆ２、のものであり、構造的に以下にリストする配列に特徴づけられる。また、それらは、その部分またはその誘導体であっても良い。複数種のハイドロフォビンを、好ましくは２または３種で、互いに同一または異なる構造で、ハイドロフォビンと天然には結合しない適切なポリペプチド配列に相当するように連結させることもできる。
【００５１】
さらに、本発明を実施するために特に適切なのは、ＳＥＱ  ＩＤ  ＮＯ：２０、２２、２４およびそれをコードする核酸配列で示されるポリペプチド配列、特にＳＥＱ  ＩＤ  ＮＯ：１９、２１、２３の配列を有する融合タンパク質である。さらに、特に好ましい実施形態はＳＥＱ  ＩＤ  ＮＯ：２０、２２または２４で示されるポリペプチド配列から開始し、少なくとも１個〜１０個以下、好ましくは５個、さらに好ましくは全てのアミノ酸残基の５％の置換、挿入または削除が生じ、開始タンパク質の生物学的特性の少なくとも５０％をまだ有しているタンパク質を含む。ここで、本発明により使用されるタンパク質の生物学的特性は上記の接触角における少なくとも２０°の変化を意味するものと理解される。
【００５２】
本発明により使用されるポリペプチドは、例えばメリフィールド固相合成法などによるペプチド合成の良く知られた技術により化学的に作製できる。
【００５３】
天然に生じるハイドロフォビンは天然資源から適切な方法を用いて単離することができる。例として、Ｗｏｓｔｅｎ  ｅｔ  ａｌ．,Ｅｕｒ．  Ｊ  Ｃｅｌｌ  ｂｉｏ．６３巻、１２２−１２９頁（１９９４年）またはＷＯ  ９６／４１８８２が挙げられる。
【００５４】
好ましくは、融合タンパク質は遺伝子工学的手法、即ち、融合パートナーをコードする１個の核酸配列、特にＤＮＡ配列およびハイドロフォビン部分をコードする１個の核酸配列、特にＤＮＡ配列を結合することで、結合した核酸配列の遺伝子発現により、宿主生物中に目的とするタンパク質を生じさせる手法で作製する。このような方法は我々の先行出願であるＤＥ  １０２００５００７４８０．４で開示している。
【００５５】
上記方法における適切な宿主、または生産生物には、原核生物（古細菌を含む）または真核生物、特に好塩菌を含む細菌、カビ、昆虫細胞、植物細胞、哺乳類細胞、さらに好ましくはEscherichia coli、Bacillus subtilis、Bacillus megaterium、Aspergillus oryzea、Aspergillus nidulans、Aspergillus niger、Pichia pastoris、Pseudmonas spec.、Lactobacilli、Hansenula polymorpha、Trichoderma reesei、SF9(または関連細胞)などが含まれる。
【００５６】
本発明の目的のため、制御核酸配列の遺伝子制御に基づいて得られる発現コンストラクト（構築物（constructs））、本発明により使用されるポリペプチドをコードする核酸配列、およびこれらの発現コンストラクトの少なくとも１種を含むベクターがハイドロフォビンの作製に使用できる。
【００５７】
好ましくは、使用される発現コンストラクトには目的のタンパク質をコードする配列の５‘上流にプロモーターおよびそのコードする配列の３’下流にターミネーター配列が含まれ、必要に応じて、さらに、そのコードする配列に有効に連結される慣例の調節因子も含まれる。
【００５８】
「有効な連結（operative linkage）」はプロモーター、目的とするタンパク質をコードする配列、ターミネーター、および必要に応じて、そのコードする配列の発現に要求される機能果たすことができるような、さらなる調節因子の配列の配置を意味する。
【００５９】
有効に連結した配列の例としては、標的とする配列およびエンハンサー、ポリアデニル化信号などがある。さらに、調節因子には選択マーカー、増幅シグナル、複製起点などが含まれる。適切な制御配列は、例えば、Ｇｏｅｄｄｅｌ，  ｇｅｎｅ  Ｅｘｐｒｅｓｓｉｏｎ  Ｔｅｃｈｎｏｌｏｇｙｋｏｒｏｎ  Ｍｅｔｈｏｄｓ  ｉｎ  Ｅｎｚｙｍｏｌｏｇｙ  １８５巻、Ａｃａｄｅｍｉｃ  Ｐｒｅｓｓ，  Ｓａｎ  Ｄｉｅｇｏ，  ＣＡ（１９９０年）に記載されている。
【００６０】
これらの制御配列に加えて、これらの配列の天然の制御因子が実際の構造遺伝子の上流にまだ存在していても良く、必要に応じて、その天然の制御因子のスイッチを切り、遺伝子の発現を強めるように遺伝子修飾をしても良い。
【００６１】
好ましいコンストラクトにおいては、プロモーターと機能的に連結し、核酸配列の発現を高めることができる１種以上の上記のエンハンサー配列を含むことが有利である。さらなる制御因子またはターミネーターの様なさらに有利な配列をＤＮＡ配列の３‘末端に導入しても良い。
【００６２】
核酸はコンストラクトに１個以上の複製として含まれても良い。さらにコンストラクトには、必要に応じてそのコンストラクトを選択する目的で、抗生物質耐性または補完的栄養要求性遺伝子の様なマーカーを追加して含ませても良い。
【００６３】
本発明の方法に有利な制御配列は、プロモーターでは例えば、cos、tac、 trp、tet、trp-tet、lac、lpp、lpp-lac、laclq-T7、T5、T3、gal、trc、ara、rhaP(rhaPBAD)SP6、lambda-PRまたはimlambda-Pプロモーターであり、これらのプロモーターはグラム陰性細菌に有利である。さらに、有利な制御配列は、例えばグラム陽性細菌のプロモーターamyおよびSP02、酵母またはカビのプロモーターADC1、MFalpha、AC、P-60、CYC1、GAPDH、TEF、rp28、ADHがある。
【００６４】
制御には人工的なプロモーターを使用することもできる。
【００６５】
宿主生物における核酸コンストラクトを発現するため、その宿主において遺伝子を最適に発現させるベクター、例えばプラスミドまたはファージに挿入するのが有利である。さらに、ベクターにはプラスミドおよびファージと同様に、それ自体知られている他のすべてのベクター、即ち、例えばSV40、CMV、バクロウイルス、アデノウイルスなどのウイルス、トランスポゾン、ISエレメント、ファスミド、コスミドおよび直鎖または環状ＤＮＡ、およびアグロバクテリウム法が含まれる。
【００６６】
これらのベクターはその宿主生物または染色体において独立して複製されても良い。これらのベクターは本発明のさらなる実施形態を構成する。適切なプラスミドの例としては、E.coliにおける、pLG338、pACYC184、pBR322、pUC18、pUC19、pKC30、pRep4、pHS1、pKK223-3、pDHE19.2、pHS2、pPLc236、pMBL24、pLG200、pUR290、pIN-lll”3-B1、tgt11またはpBdCl、Streptomycesにおける、pIJ101、pIJ364、pIJ702またはpIJ361、BacillusにおけるpUB110、pC194またはpBD214、CorynebacteriumにおけるpSA77またはpAJ667、カビにおけるｐALS1、pIL2またはpBB116、酵母における2alpha、pAG-1、YEp6、YEp13またはpEMBLYe23または植物におけるpLGV23、pGHlac+、pBIN19、pAK2004またはDH51が挙げられる。上記プラスミドは使用可能なプラスミドの一部を選択したものである。さらなるプラスミドとしてはそれ自体知られており、例えば書籍Ｃｌｏｎｉｎｇ  Ｖｅｃｔｏｒｓ（Ｅｄｓ．  Ｐｏｕｗｅｌｓ  Ｐ．  Ｈ．  ｅｔ  ａｌ．  Ｅｌｓｅｖｉｅｒ,  Ａｍｓｔｅｒｄａｍ−Ｎｅｗ  Ｙｏｒｋ−Ｏｘｆｏｒｄ，  １９８５年、ＩＳＢＮ  ０  ４４４  ９０４０１８）において認められる。
【００６７】
他の遺伝子を発現するため、核酸コンストラクトはさらに宿主生物および遺伝子または遺伝子群の選択により最適な発現と成るように選択された、発現を強める３'−および／または５’−末端の制御配列を含むことが有利である。
【００６８】
これらの制御配列はその遺伝子およびタンパク質の発現を特異的にさせることを目的としている。宿主生物によっては、これは例えば、遺伝子が誘導後のみに発現するか、または過剰発現し、および／または直ちに発現するか、または過剰発現することを意味する。
【００６９】
誘導され、確実に影響が与えられ、結果として制御配列または因子により強められた遺伝子の発現が好ましい。従って、制御因子はプロモーターおよび／またはエンハンサーの様な強力な転写シグナルを使用することにより、転写レベルを有利に強めても良い。しかしながら、この他に、例えばメッセンジャーＲＮＡ（ｍＲＮＡ）の安定性を改良することにより、翻訳を強めることも可能である。
【００７０】
ベクターのさらなる実施形態において、核酸コンストラクトまたは核酸を含むベクターが直鎖ＤＮＡの形態で微生物へ有利に導入され、異種または相同的な遺伝子組み換えにより宿主生物のゲノムに組み込まれても良い。この直鎖ＤＮＡはプラスミドの様な直鎖化した（linearized）ベクターまたは単に核酸コンストラクトまたは核酸で構成されていても良い。
【００７１】
宿主生物中の異種の遺伝子の最適な発現のためには、その生物に利用される特異的なコドン使用頻度に従って核酸配列を組み換えることが有利である。コドン使用頻度は問題となる生物の他の既知遺伝子のコンピューター解析により容易に測定できる。
【００７２】
発現カセットは適切なプロモーターを目的のタンパク質をコードする適切なヌクレオチド配列およびターミネーターまたはポリアデニル化信号と融合することにより作成する。例えば、Ｔ．Ｍａｎｉａｔｉｓ，Ｅ．Ｆ．Ｆｒｉｔｓｈ  ａｎｄ  Ｊ．Ｓａｍｂｒｏｏｋ，Ｍｏｌｅｃｕｌａｒ  Ｃｌｏｎｉｎｇ：Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ，  Ｃｏｌｄ  Ｓｐｒｉｎｇ  Ｈａｒｂｏｒ，  ＮＹ（１９８９年）およびＴ．Ｊ．Ｓｉｈａｖｙ，  Ｍ．Ｌ．Ｂｅｒｍａｎ  ａｎｄ  Ｌ．Ｗ．Ｅｎｑｕｉｓｔ，  Ｅｘｐｅｒｉｍｅｎｔｓ  ｗｉｔｈ  Ｇｅｎｅ  Ｆｕｓｉｏｎｓ，  Ｃｏｌｄ  Ｓｐｒｉｎｇ  Ｈａｒｂｏｒ  Ｌａｂｏｒａｔｏｒｙ，  Ｃｏｌｄ  Ｓｐｒｉｎｇ  Ｈａｒｂｏｒ，ＮＹ（１９８４年）およびＡｕｓｕｂｅｌ，Ｆ．Ｍ．ｅｔ  ａｌ．，  Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｇｒｅｅｎｅ  Ｐｕｂｌｉｓｈｉｎｇ  Ａｓｓｏｃ．  ａｎｄ  Ｗｉｌｅｙ  Ｉｎｔｅｒｓｃｉｅｎｃｅ（１９８７年）に記載されているような、一般的な遺伝子組み換えおよびクローニング技術は本目的のために使用される。
【００７３】
適切な宿主生物において発現させるため、組み換え核酸コンストラクトまたは遺伝子コンストラクトを宿主において遺伝子の最適な発現を提供する宿主特異的ベクターへ挿入する。ベクターはそれ自体知られており、例えば「Ｃｌｏｎｉｎｇ  Ｖｅｃｔｏｒｓ」（Ｐｏｕｗｅｌｓ  Ｐ．Ｈ．ｅｔ  ａｌ．，Ｅｄｓ，  Ｅｌｓｅｖｉｅｒ，  Ａｍｓｔｅｒｄａｍ−Ｎｅｗ  Ｙｏｒｋ−Ｏｘｆｏｒｄ，１９８５年）から選択しても良い。
【００７４】
ベクターによって、例えば少なくとも１個のベクターが変換され、本発明により使用されるポリペプチドの生産に使用される、組み換え微生物を作製することができる。上記の組み換えコンストラクトは適切な宿主系への導入および発現において有利である。これに関して、当業者に知られた、通常のクローニングおよびトランスフェクション法、例えば共沈、プロトプラスト融合、エレクトロポレーション、レトロウイルスによるトランスフェクションなどを、特に発現系において上記核酸を発現させるために使用することが好ましい。適切な発現系は例えば、Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｆ．Ａｕｓｕｂｅｌ  ｅｔ  ａｌ．，Ｅｄｓ．，Ｗｉｌｌｅｙ  Ｉｎｔｅｒｓｃｉｅｎｃｅ，  Ｎｅｗ  Ｔｏｒｋ  １９９７年、またはＳａｍｂｒｏｏｋ  ｅｔ  ａｌ．  Ｍｏｌｅｃｕｌａｒ  Ｃｌｏｎｉｎｇ：Ａ  Ｌａｂｏｒａｔｒｙ  Ｍａｎｕａｌ．２ｎｄ  ｅｄｉｔｉｏｎ，  Ｃｏｌｄ  Ｓｐｒｉｎｇ  Ｈａｒｂｏｒ  Ｌａｂｏｒａｔｏｒｙ，  Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ａｐｒｉｎｇ  Ｈａｒｂｏｒ，ＮＹ，１９８９年に記載されている。
【００７５】
相同的に遺伝子組み換えされた微生物も作成することができる。この目的のため、本発明により使用される遺伝子または目的のタンパク質をコードする配列であって、必要に応じて、少なくとも１個のアミノ酸の削除、アミノ酸の付加またはアミノ酸の置換が、例えば機能的崩壊した配列（ノックアウトベクター）を修飾するために導入された配列の少なくとも１部分を含むベクターが作製される。導入された配列は、例えば、関連微生物からの相同体(homolog)であっても良く、または哺乳類、酵母または昆虫資源から得られるものでも良い。その代わりに、相同的遺伝子組み換えに使用されるベクターは、内在性遺伝子が相同的遺伝子組み換えの場合に変異されるか、または改変され、それでもその遺伝子が機能的蛋白質をコードするような方法で設計されても良い（例えば、上流の制御領域が内在性タンパク質の発現がそれにより変化されるような方法で改変されても良い）。本発明により使用される遺伝子の改変される部分は相同的遺伝子組み換えベクター中にある。相同的遺伝子組み換えに適切なベクターの構築は、例えば、Ｔｈｏｍａｓ，Ｋ．Ｒ.およびＣａｐｅｃｃｈｉ，Ｍ．Ｒ．（１９８７年）Ｃｅｌｌ  ５１巻、５０３頁に記載されている。
【００７６】
本発明により使用される核酸または核酸コンストラクトに適切な組み換え宿主生物は原則として全ての原核または真核生物が使用できる。細菌、カビ、または酵母のような微生物を宿主生物として使用することが有利である。グラム陽性またはグラム陰性細菌、好ましくはエンテロバクテリア科、シュードモナス科、リゾビウム科、ストレプトマイセス科またはノカルジア科であり、特に好ましくは、細菌の属として、Esherichia属、Pseudomonas属、Streptomyces属、Nocardia属、Burkholderia属、Salmonera属、Agrobacterium属またはRhodococcus属を使用することが有利である。
【００７７】
融合タンパク質の製造方法に使用される生物は宿主生物に応じて、当業者に知られた方法で生育または培養される。微生物の場合は、通常は糖類の形態の炭素源、通常は酵母エキスのような有機窒素源または硫酸アンモニウムのような塩の形態の窒素源、鉄塩、マンガン塩およびマグネシウム塩のような微量元素、および必要に応じてビタミン類を含む液体培地にて０℃〜１００℃、好ましくは１０℃〜６０℃の温度で、酸素を供給しながら培養するのが通常である。これに関連して、栄養培地のｐＨは一定の値に保たれても良い、即ち、培養中制御しても、しなくても良い。培養をバッチ法、セミバッチ法または連続的に行っても良い。栄養培地を発酵の開始時に最初に導入するか、またはその後に半連続または連続法で供給しても良い。酵素を実施例に記載される方法により生物から単離しても、または粗抽出液として反応に使用しても良い。
【００７８】
また、ポリペプチドまたは、その機能的な生理活性のある断片を組み換えにより作製する方法としては、ポリペプチドを生産する微生物の培養、必要に応じて導入されるポリペプチドの発現および培養物からのポリペプチドの単離によることが適切である。ポリペプチドはまた必要であればこの方法により工業的スケールで生産しても良い。組み換え微生物既知の方法で培養または発酵しても良い。例えば、細菌はＴＢ培地またはＬＢ培地により、２０℃〜４０℃の温度、ｐＨ６から９で増殖させても良い。適切な培養条件は、例えばＴ．Ｍａｎｉｓｔｉｓ、Ｅ．Ｆ．ＦｒｉｔｓｃｈおよびＪ．Ｓａｍｂｒｏｏｋ，Ｍｏｌｅｃｕｌａｒ  Ｃｌｏｎｉｎｇ：Ａ  Ｌａｂｏｒａｔｏｒｙ    Ｍａｎｕａｌ，  Ｃｏｌｄ  Ｓｐｒｉｎｇ  Ｈａｒｂｏｒ  Ｌａｂｏｒａｔｏｒｙ  Ｈａｒｂｏｒ、ＮＹ(１９８８年)に詳細に記載されている。
【００７９】
ポリペプチドが培養培地へ分泌されない場合、それから細胞を破壊し、既知のタンパク質の単離方法により溶解物から生産物を得る。その細胞は必要に応じて高周波数の超音波処理法、フレンチプレッシャーなどの高圧処理法、浸透圧による溶菌（osmolysis）法、洗剤、溶菌酵素または有機溶剤の作用、ホモジナイザー法または２種以上の上記方法の組合せにより、破壊することができる。
【００８０】
ポリペプチドは分子篩クロマトグラフィ（ゲルろ過）や、Ｑ−Ｓｅｐｈａｒｏｓｅクロマトグラフィ、イオン交換クロマトグラフィおよび疎水性クロマトグラフィの様な既知のクロマトグラフィ法を使用して、および限外ろ過法、結晶化法、塩析法、透析法およびネイティブゲル電気泳動法などのその他の慣例的な方法を使用して精製することができる。適切な方法は例えば、Ｃｏｏｐｅｒ，Ｆ．Ｇ．，Ｂｉｏｃｈｅｍｉｓｈｅ  Ａｒｂｅｉｔｓｍｅｔｈｏｄｅｎ，Ｖｅｒｌａｇ  Ｗａｌｔｅｒ  ｄｅ  Ｇｒｕｙｔｅｒ，  Ｂｅｒｌｉｎ，Ｎｅｗ  Ｙｏｒｋ、またはＳｃｏｐｅｓ，Ｒ．，Ｐｒｏｔｅｉｎ  Ｐｕｒｉｆｉｃａｔｉｏｎ，  Ｓｐｒｉｎｇｅｒ  Ｖｅｒｌａｇ，  Ｎｅｗ  Ｙｏｒｋ，  Ｈｅｉｄｅｌｂｅｒｇ，Ｂｅｒｌｉｎに記載されている。
【００８１】
組み換えタンパク質を単離するためには、相補的ＤＮＡ(cDNA)を特定のヌクレオチド配列により伸長し、それにより例えば精製を簡略化するように目的の改変ポリペプチドまたは融合タンパクをコードするベクター系またはオリゴヌクレオチドを使用することが有利である。この種の適切な修飾の例としては、例えばヘキサ−ヒスチジンアンカー、または抗体により抗原として認識できるエピトープとして知られる修飾法などのアンカーとして作用する「タグ(tags)」がある（例えば、Ｈａｒｌｏｗ，ＥおよびＬａｎｅ，Ｄ．，１９８８年，Ａｎｔｉｂｏｄｉｅｓ：Ａ  Ｌａｂｏｒａｔｏｒｙ  Ｍａｎｕａｌ．Ｃｏｌｄ  Ｓｐｒｉｎｇ  Ｈａｒｂｏｒ（Ｎ．Ｙ．）Ｐｒｅｓｓに記載されている）。その他の適切な「タグ」には、例えばＨＡ、カルモジュリン−ＢＤ、ＧＳＴ、ＭＢＤ、キチン−ＢＤ、ストレプトアビジン−ＢＤ−アビ−タグ、フラッグ−タグ、Ｔ７などが挙げられる。これらのアンカーはタンパク質を付着するために、高分子充填材であって、例えばクロマトグラフィカラムに重点されたものなどの固体支持体に使用しても良く、またはマイクロタイタープレートまたはその他の支持体に使用しても良い。相当する精製手順は業務用アフィニティタグ供給業者から入手することができる。
【００８２】
上記のように精製されたタンパク質は直接、融合タンパク質としてでも、または融合パートナー部分を開裂および除去した後に、純粋なハイドロフォビンとしてでも使用することができる。
【００８３】
融合パートナー部分の除去をする場合は、融合タンパク質においてハイドロフォビンおよび融合パートナー部分の間に潜在的な開裂部位（プロテアーゼの特異的な認識部位）を組み込むことが望ましい。適切な開裂部位には、特に、すでに生命情報工学的な手法により測定されたハイドロフォビン部分にも、または融合パートナー部分のどちらにも存在しないペプチド配列が含まれる。特に、例えばメチオニンのシアン化臭素による開裂または、Ｘａ因子、エンテロキナーゼ開裂、トロンビン、ＴＥＶ(タバコエッチウイルスプロテアーゼ)開裂を伴うプロテアーゼ媒介による開裂が適切である。
【００８４】
本発明により硬質表面の防汚処理に使用する場合、ハイドロフォビン類を実質的にそのまま使用できる。しかしながら、ハイドロフォビン類を少なくとも１種の適切な溶剤中の製剤または組成物として使用するのが好ましい。
【００８５】
本発明の具体化するハイドロフォビンの選択には制限はない。１種のハイドロフォビンまたは他の複数の異なる種類も使用することができる。当業者は適切な選択をする。例えば、ｙａａｄ−Ｘａ−ｄｅｗＡ−ｈｉｓ（ＳＥＱ  ＩＤ  ＮＯ：１９）またはｙａａｄ−ｒｏｄＡ――ｈｉｓ（ＳＥＱ ＩＤ  ＮＯ：２１）などの融合タンパク質を使用することができる。
【００８６】
製剤用の溶剤には水および／または有機溶剤が含まれる。溶剤混合物もまた使用することができる。溶剤の特性はハイドロフォビン、処理される表面の特性および使用方法に左右され、当業者により適切に選択される。一般的に、家庭用用途には水または水性製剤が好ましい。水性、ほぼ水性および非水溶性の製剤は工業用用途に適切である。
【００８７】
好ましくは、溶剤は水または水および水混和性の有機溶剤の混合物を含む。そのような有機溶剤には、例えば水混和性の一価または多価アルコール類、例えば、メタノール、エタノール、ｎ−プロパノール、ｉ−プロパノール、エチレングリコール、プロピレングリコールまたはグリセロールが含まれる。エーテルアルコール類もまた可能性がある。例えば、エチレングリコールモノブチルエーテルの様な（ポリ）エチレンまたは（ポリ）プロピレングリコール類のモノアルキルエーテルが含まれる。水溶性および有機溶剤の特性および使用量は当業者により選択される。水性混合物は総溶剤量に対して、少なくとも８０質量％の水を含むことが好ましい。水の他は、アルコールが好ましい溶剤である。
【００８８】
本発明により使用される組成物を製造するため、合成された状態で、単離された状態で、および／または精製された状態で水性ハイドロフォビン溶液を使用することが好ましい。これらはその純度に応じて、まだ合成工程における補助剤の残渣を含む。しかし、ハイドロフォビンを初めに物質として、例えば凍結乾燥により単離し、第２次工程で製剤とすることもできる。
【００８９】
製剤中のハイドロフォビンの量は表面の特性および／または設計した使用方法によって、当業者により決定される。しかしながら、比較的少量であっても防汚効果を達成するのに十分である。製剤の全ての成分の総量に対して０．０００１〜１質量％の量で充分であることが本発明に関係なく、明らかになっており、従って本発明はこの範囲に限定される。その量は、好ましくは、０．０００５〜０．５質量％の範囲、およびさらに好ましくは、０．００１〜０．１質量％の範囲である。
【００９０】
使用される組成物には洗剤、例えばガラス用洗剤、床用洗剤、万能洗剤、バス用洗剤、泡切れの良い洗剤、手動または食器洗い機用の食器洗浄剤、機械用洗剤、金属用油性洗剤、高圧洗浄剤、アルカリ洗剤、酸性洗剤、ポイント油性洗剤(point degreaser)または酪農用洗剤が含まれる。本発明の洗剤は溶剤および少なくとも１種のハイドロフォビンと同様に、既知の方法で、原則として１種以上の界面活性剤を効果的な量で含む。
【００９１】
組成物はまた硬質表面、特にガラス、陶器または床面のため、前または後処理剤を含んでも良い。
【００９２】
界面活性剤はアニオン性、非イオン性、両性および／またはカチオン性界面活性剤を含んでも良い。そのような界面活性剤及びそれぞれの好ましい使用方法は、原則として当業者に知られている。
【００９３】
アニオン性界面活性剤の例としては、高級アルコール硫酸エステル塩、アルキルエーテル硫酸エステル塩、アルカンスルホン酸塩、アルキルベンゼンスルホン酸塩またはアルキルリン酸塩が挙げられる。遊離酸またはその塩が使用できる。
【００９４】
非イオン性界面活性剤の例としては、高級アルコールアルコキシレートまたはオキソ合成アルコールアルコキシレートなどのアルコキシル化Ｃ8−Ｃ22アルコール、Ｃ6−Ｃ14のアルキル鎖および５〜３０モルのエチレンオキシド単位を有するアルキルフェノールエトキシレート、８〜２２のアルキル鎖を有するアルキルポリグルコシド、アルキルアミンアルコキシレートまたはアルキルアミドエトキシレートが挙げられる。
【００９５】
両性界面活性剤の例としては、アルキルベタイン、アルキルアミドベタイン、アミノプロピオン酸塩、アミノグリシン酸塩または両性イミダゾリウム化合物が挙げられる。
【００９６】
カチオン系界面活性剤の例としては、例えばハロゲン化Ｃ8-6ジアルキルジメチルアンモニウム、ハロゲン化ジアルコキシジメチルアンモニウムなどの置換または非置換の直鎖または分岐アルキル第四級アンモニウム塩、または長鎖アルキルラジカルを有するイミダゾリウム塩が挙げられる。
【００９７】
さらなる界面活性剤の例は、ＤＥ−Ａ  １０１  ６０  ９９３の[００５６]から[００７３]の部分に列挙されている。
【００９８】
当業者は界面活性剤の種類および量に関しては適切に選択することができる。製剤の全ての成分の総量に対して、０．０１質量％〜３０質量％の量で充分であることが知られている。
【００９９】
さらに、製剤は任意にさらなる成分、例えば混合剤および／または補助剤を含んでいても良い。そのような成分の例としては、例えばカルボン酸またはアンモニアなどの酸または塩基、緩衝液系、重合物、ＳｉＯ2またはケイ酸塩のような無機物の粒子、染料、香料または殺生物剤が含まれる。さらなる混合剤の例はＤＥ−Ａ  １０１  ６０  ９９３、特に[００７４]〜[０１３１]の部分に列挙されている。当業者は用途に応じて追加的な成分の種類および量に関しては適切に選択することができる。
【０１００】
本発明により、硬質表面は少なくとも１種のハイドロフォビンおよび少なくとも１種の溶剤を含む組成物を硬質表面に接触させる防汚方法で処理される。
【０１０１】
接触方法は対象物の種類によって定まるものである。例えば、組成物で表面を噴霧するか、すすぐか、または拭くことにより、または製剤に対象物全体を浸漬することにより行うことができる。後者は当然、取り付けられていない対象物にのみ適用できる。処理時間は当業者によって設定される。それは数秒〜数時間かけることができる。処理後、余分な処理溶液を除去するため表面を例えば水ですすいでも良い。
【０１０２】
本発明の防汚処理は洗浄と一緒に行う効果、即ち、実際の洗浄過程の間に防汚処理の効果が得られることが特に有利である。この効果は上記のように少なくとも１種のハイドロフォビン、少なくとも１種の界面活性剤および少なくとも１種の溶剤を含む洗浄剤組成物を使用することで得られる。
【０１０３】
その処理は室温より低い温度、室温または高い温度、例えば２０〜１００℃、好ましくは２０〜６０℃で行うことができる。その処理は、３０℃を超えない温度、特に２０〜３０℃で行うことが好ましい。
【０１０４】
組成物で処理した後、処理された表面を乾燥する。処理された表面の乾燥は室温で自然に乾燥することができ、または温度を高めて乾燥することもできる。
【０１０５】
その処理および必要に応じて表面の乾燥に続いて、高い温度、例えば１２０℃以下の温度で表面の熱による後処理をしても良い。熱による後処理は乾燥と組み合わせて行うことができる。熱による後処理の温度は、好ましくは３０〜１００℃の範囲、さらに好ましくは４０〜８０℃の範囲および例えば５０〜７０℃の範囲である。その処理時間は当業者により設定され、例えば１分〜１０時間の範囲とすることができる。
【０１０６】
本発明の方法は少なくとも１種のハイドロフォビンを含む防汚コーティングがされた硬質表面を提供する。一般的に、コーティングは表面に少なくともハイドロフォビンの単分子層を含む。
【０１０７】
防汚効果は原則として既知の方法、例えば未処理の表面とハイドロフォビンで処理した表面について、水で洗い流すことによる汚れの剥離性を比較することで測定することができる。
【０１０８】
ハイドロフォビンは少量であっても明らかな効果を有する。ちょうど０．０１質量％のハイドロフォビンを含む組成物で処理しても汚れ離れの改善が得られる。
【０１０９】
本発明による防汚処理は特に陶器の表面、例えばタイルなどに有用である。ここで、防汚効果だけでなく、表面の明らかなハイドロフォビン化もその処理を通じて達成される。これは例えばバスルームの様な湿った部屋にとくに重要な優位性である。
【０１１０】
本発明を以下の実施例により説明する。
【０１１１】
パートＡ  
本発明により使用されるハイドロフォビンの作製および試験
【実施例１】
【０１１２】
ｙａａｄ−Ｈｉｓ6／ｙａａＥ−Ｈｉs6のクローニングの予備実験
ポリメラーゼ連鎖反応（ＰＣＲ）をオリゴヌクレオチドＨａｌ５７０およびＨａｌ５７１（Ｈａｌ５７２／Ｈａｌ５７３）を用いて行った。鋳型ＤＮＡはBacillus subtilis細菌のゲノムのＤＮＡを使用した。得られたＰＣＲ断片はBacillus subtilisのｙａａＤ／ｙａａＥ遺伝子およびそれらの末端でいずれの場合も、それぞれＮｃｏlおよびＢｇｌｌｌ制限酵素の開裂部位のコード配列を含んでいた。ＰＣＲ断片を精製し、制限エンドヌクレアーゼＮｃｏlおよびＢｇｌｌｌで切断した。このＤＮＡ断片を挿入物として使用し、予め制限エンドヌクレアーゼで直鎖化した、ベクターｐＱＥ６０（Ｑｉａｇｅｎ社）にクローニングした。上記により得られたベクター、ｐＱＥ６０ＹＡＡＤ＃２／ｐＱＥ６０ＹａａＥ＃５はそれぞれ、ＹＡＡＤ：：ＨＩＳ6およびＹＡＡＥ：：ＨＩＳ6から成るタンパク質の発現に使用される。
【０１１３】
【表１】
2008534726.tif 000005
【実施例２】
【０１１４】
ｙａａｄハイドロフォビンＤｅｗＡ−Ｈｉｓ6のクローニング
ポリメラーゼ連鎖反応（ＰＣＲ）をオリゴヌクレオチドＫａＭ４１６およびＫａＭ４１７を用いて行った。鋳型ＤＮＡはAspergillus nidulansカビのゲノムＤＮＡを使用した。得られたＰＣＲ断片はハイドロフォビン遺伝子ｄｅｗＡおよびＮ末端のＸａ因子プロテアイナーゼ開裂部位のコード配列を含んでいた。ＰＣＲ断片を精製し、制限エンドヌクレアーゼＢａｍＨｌで切断した。このＤＮＡ断片を挿入物として使用し、あらかじめ制限エンドヌクレアーゼＢｇｌｌｌで直鎖化した、ベクターｐＱＥ６０ＹＡＡＤ＃２にクローニングした。
【０１１５】
上記により得られたベクター＃５０８はＹＡＡＤ：：Ｘａ：：ｄｅｗＡ：：ＨＩＳ6から成るタンパク質の発現に使用される。
【０１１６】
【表２】
2008534726.tif 000006
【実施例３】
【０１１７】
ｙａａｄハイドロフォビンＲｏｄＡ−Ｈｉｓ6のクローニング
プラスミド＃５１３をプラスミド＃５０８と同様に、オリゴヌクレオチドＫａＭ４３４およびＫａＭ４３５を使用してクローニングした。
【０１１８】
【表３】
2008534726.tif 000007
【実施例４】
【０１１９】
ｙａａｄハイドロフォビンＢＡＳＦ１−Ｈｉｓ6のクローニング
プラスミド＃５０７をプラスミド＃５０８と同様に、オリゴヌクレオチドＫａＭ４１７およびＫａＭ４１８を使用してクローニングした。鋳型ＤＮＡには人工的に合成したＤＮＡ配列であるハイドロフォビンＢＡＳＦ１（別表参照）を用いた。
【０１２０】
【表４】
2008534726.tif 000008
【実施例５】
【０１２１】
ｙａａｄハイドロフォビンＢＡＳＦ２−Ｈｉｓ6のクローニング
プラスミド＃５０６をプラスミド＃５０８と同様に、オリゴヌクレオチドＫａＭ４１７およびＫａＭ４１８を使用してクローニングした。鋳型ＤＮＡは人工的に合成したＤＮＡ配列であるハイドロフォビンＢＡＳＦ２（別表参照）を用いた。
【０１２２】
【表５】
2008534726.tif 000009
【実施例６】
【０１２３】
ｙａａｄハイドロフォビンＳＣ３−Ｈｉｓ6のクローニング
プラスミド＃５２６をプラスミド＃５０８と同様に、オリゴヌクレオチドＫａＭ４６４およびＫａＭ４６５を使用してクローニングした。
【０１２４】
鋳型ＤＮＡはスエヒロタケ(Schyzophyllum commune）の相補的ＤＮＡ（別表参照）を用いた。
【０１２５】
【表６】
2008534726.tif 000010
【実施例７】
【０１２６】
組み換えE.coli：ｙａａｄハイドロフォビンＤｅｗＡ−Ｈｉｓ６株の培養
ｙａａｄハイドロフォビンＤｅｗＡ−Ｈｉｓ６を発現するE.coli株を１５ｍｌグライナー試験管中の３ｍｌＬＢ液体培地に接種した。３７℃、２００ｒｐｍで８時間振とう培養した。それぞれの場合に２本のバッフル付き１Ｌエルレンマイヤーフラスコ中の２５０ｍｌＬＢ培地（＋１００μｇ／ｍｌアンピシリン）に前培養の培養液１ｍｌを接種し、３７℃、１８０ｒｐｍで９時間振とう培養した。２０Ｌファーメンター中の１３．５ＬのＬＢ培地（＋１００μｇ／ｍｌアンピシリン）に前培養（水に対して測定したＯＤ600nm１：１０）の０．５Ｌを接種した。１４０ｍｌの１００ｍＭＩＰＴＧをＯＤ600nmが〜３．５の時点で添加した。３時間後、ファーメンターを１０℃に冷却し、培養液を遠心分離により除去した。細胞沈殿物を次の精製工程で使用する。
【実施例８】
【０１２７】
組み換えハイドロフォビン融合タンパク質の精製
（Ｃ−末端Ｈｉｓ６タグをプロセッシングするハイドロフォビン融合タンパク質の精製）
１００ｇの細胞沈殿物（１００〜５００ｍｇのハイドロフォビン含有）を５０ｍＭリン酸ナトリウム緩衝液（ｐＨ７．５）にて総容量で２００ｍｌになるようにして、再懸濁した。懸濁液はＵｌｔｒａｔｕｒｒａｘ  ｔｙｐｅＴ２５(Ｊａｎｋｅ  ａｎｄ  Ｋｕｎｋｅｌ；ＩＫＡ−Ｌａｂｏｒｔｅｃｈｎｉｋ社製)で１０分間処理し、次いで核酸を分解する目的で、５００単位のベンゾナーゼ（Ｍｅｒｃｋ,Ｄａｒｍｓｔａｄｔ社；オーダーＮｏ．１．０１６９７．０００１）で室温にて１時間反応した。細胞の破壊に先立ち、ガラスカ−トリッジ（Ｐ１）を使用してろ過を行った。細胞の破壊および残存したゲノムのＤＮＡをせん断する目的で、１５００ｂａｒで高圧ホモジナイザー（Ｍｉｃｒｏｆｌｕｉｄｉｚｅｒ  Ｍ−１１０ＥＨ；Ｍｉｃｒｏｆｌｕｉｄｉｚｅｒ社）で２回処理した。ホモジネートを遠心分離（Ｓｏｖａｌｌ  ＲＣ−５Ｂ，ＧＳＡローター，２５０ｍｌ遠心ビーカー、４℃、６０分、１２０００ｒｐｍ、２３０００ｇ）し、上清を氷冷し、沈殿物は１００ｍｌリン酸ナトリウム緩衝液（ｐＨ７．５）に再懸濁した。遠心分離および再懸濁を３回繰り返し、３回目では１％ＳＤＳを含むリン酸緩衝液を用いた。再懸濁後、溶液を１時間攪拌し、続いて最後の遠心分離（Ｓｏｖａｌｌ  ＲＣ−５Ｂ，ＧＳＡローター，２５０ｍｌ遠心ビーカー、４℃、６０分、１２０００ｒｐｍ、２３０００ｇ）をした。ＳＤＳ−ＰＡＧＥ分析によると、ハイドロフォビンは最後の遠心分離後の上清に存在している（図１)。本実験はハイドロフォビンがE.coliの細胞内におそらく封入体(inclision bodies)の形態で存在していることを示している。５０ｍｌのハイドロフォビンを含有する上清を５０ｍＭＴｒｉｓ−Ｃｌ緩衝液（ｐＨ８．０）で平衡化した５０ｍｌのｎｉｃｋｅｌ−Ｓｅｐｈａｒｏｓｅ  Ｈｉｇｈ  Ｐｅｒｆｏｒｍａｎｃｅ１７−５２６８−０２カラム（Ａｍｅｒｓｈａｍ社）に掛けた。カラムを５０ｍＭＴｒｉｓ−Ｃｌ緩衝液（ｐＨ８．０）で洗浄し、続いて２００ｍＭイミダゾールを含む５０ｍＭＴｒｉｓ−Ｃｌ緩衝液で溶出した。イミダゾールを除く目的で、溶液を５０ｍＭＴｒｉｓ−Ｃｌ緩衝液（ｐＨ８．０）で透析した。
【０１２８】
図１は作製されたハイドロフォビンの精製を示す。
【０１２９】
レーン１：  ｎｉｃｋｅｌ−Ｓｅｐｈａｒｏｓｅカラムに掛けた溶液（１：１０希釈）
レーン２：透過液＝洗浄工程の溶出液
レーン３〜５：溶出画分のＯＤ２８０ｎｍ検出ピーク
図１のハイドロフォビンは分子量約５３ｋＤを有する。何本かのより小さい分子量のバンドはハイドロフォビンの分解産物を示す。
【実施例９】
【０１３０】
性能試験；ガラス状の水滴の接触角を変化することによるハイドロフォビンの特性解析
基材：
ガラス（窓ガラス，Ｓｕｄｄｅｕｔｓｈｅ  Ｇｌａｓ，Ｍａｎｎｈｅｉｍ，Ｇｅｒｍａｎｙ）：
ハイドロフォビン濃縮物：１００μｇ／ｍｌ、
５０ｍＭ酢酸ナトリウム（ｐＨ４．０）＋０．１質量％Ｔｗｅｅｎ２０中でガラススライドを１晩(温度８０℃)インキュベートし、
続いて、ハイドロフォビンコーティングされたガラススライドを蒸留水中で洗浄し、
続いて１質量％ｎ−ドデシル硫酸ナトリウム（ＳＤＳ）水溶液中で８０℃、１０分間インキュベートし、
蒸留水で洗浄した。
【０１３１】
そのサンプルを室温で空気乾燥し、室温で５μｌの水滴の接触角（度数）を測定する。
【０１３２】
接触角の測定はＤａｔａｐｈｙｓｉｃｓ  Ｃｏｎｔａｃｔ  Ａｎｇｌｅ  Ｓｙｓｔｅｍ  ＯＣＡ  １５＋、Ｓｏｆｔｗａｒｅ  ＳＣＡ２０．２．０（２００２年１１月）により測定した。測定はメーカー使用説明書に従って行った。
【０１３３】
未処理のガラスは接触角が３０±５°であり、実施例８の機能的なハイドロフォビン（ｙａａｄ−ｄｅｗＡ−Ｈｉｓ6）によりコーティングしたものは接触角が７５±５°であった。
【０１３４】
パートＢ
【実施例１０】
【０１３５】
硬質表面の防汚コーティングのためのハイドロフォビンの使用
使用された溶液：
性能試験は実施例８により作製された融合タンパク質ｙａａｄ−Ｘａ−ｄｅｗＡ−ｈｉｓ（ＳＥＱ  ＩＤ  ＮＯ：１９）の水溶液を用いて行った。ハイドロフォビン溶液の濃度は１００μｇ／ｍｌ（０．０１質量％）で行った。
【０１３６】
使用された硬質表面：
陶器タイル（シャイニーホワイト、１０ｃｍｘ１５ｃｍ（Ｎｏｖｏｃｋｅｒ社））、エタノールおよび水でしっかり拭いたものを用いた。
【０１３７】
使用された汚れ：
試験はＩＫＷ  ｂａｌｌａｓｔ  ｓｏｉｌ（Ｓｅｉｆｅｎ，Ｆｅｔｔｅ，Ｏｌｅ，Ｗａｃｈｓｅ（ＳＯＦＷ）−Ｊｏｕｒｎａｌ，１２４巻、１４／９８、１０２９頁に従った）を使用して行った。
【０１３８】
処理方法
２ｇの上記１００μｇ／ｍｌの濃度のハイドロフォビン水溶液を１個のタイルへ滴下し（１．３μｍハイドロフォビン／ｃｍ2）、表面を完全にカバーするように布で丁寧に広げた。その後、そのタイルを２４時間空気乾燥した。
【０１３９】
続いて、そのタイルを水で洗い流し、ガラスビーカーに入れた水で３回ｘ１０分漬け洗いした。各回の洗いごとに水を入れ替えた。その後、そのタイルは立て掛けて空気乾燥した。
【０１４０】
接触角の測定および防汚効果
処理されたタイルについて水滴（５μｌ、上記の方法に従った）に対する接触角を測定したところ５６°(１０回の測定値の平均で)であった。対照として、未処理のタイルの接触角は２０°であった。従って、そのタイルは明らかにハイドロフォビン化されていた。
【０１４１】
処理されたタイルおよび、対照として未処理のタイルに、それぞれ、５０、１００、２００μｇのＩＫＷ  ｂａｌｌａｓｔ  ｓｏｉｌをスポイトを使用してスポットし、室温にて１時間乾燥した。
【０１４２】
その後、タイルを各回５００ｍｌの水で、３回洗い流した。未処理の表面からは汚れが剥がれ落ちなかったが、ハイドロフォビン前処理タイルでは部分的に汚れの剥離が観察された。
【０１４３】
従って、ハイドロフォビンによる前処理はタイルの表面の汚れの付着を減少させた。
【図面の簡単な説明】
【０１４４】
【図１】作製されたハイドロフォビンの精製を示す。
【図１】
2008534726.tif 000011
【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
硬質表面の防汚処理のためにハイドロフォビンを使用する方法。
【請求項２】
防汚処理を上記の表面の洗浄と一緒に行う請求項１に記載の方法。
【請求項３】
上記の処理を少なくとも１種のハイドロフォビン、界面活性剤および溶剤を含む洗剤を使用して行う請求項２に記載の方法。
【請求項４】
少なくとも１種のハイドロフォビンおよび溶剤を含む組成物を上記の表面に接触させる工程を含む硬質表面の防汚処理方法。
【請求項５】
上記の組成物が少なくとも１種のハイドロフォビン、界面活性剤および溶剤を含む洗剤を含む請求項４に記載の方法。
【請求項６】
上記の組成物中のハイドロフォビンの量が上記の組成物の全ての成分の合計に対して０．０００１質量％〜１質量％である請求項４または５に記載の方法。
【請求項７】
上記の処理を３０℃未満の温度で行う請求項４〜６のいずれか１項に記載の方法。
【請求項８】
上記のハイドロフォビンが少なくとも１種の融合ハイドロフォビンを含む請求項４〜７のいずれか１項に記載の方法。
【請求項９】
上記の表面が家庭内にある表面を含む請求項４〜８のいずれか１項に記載の方法。
【請求項１０】
上記の硬質表面がタイル、床、接続金具、洗面器、シャワーバス、浴槽、トイレ、シャワー室、バスルーム用備品、家具、鏡、食卓用食器類、刃物類、ガラス類、磁器用品の表面または家庭用電化製品の表面から成る群から選択される請求項９に記載の方法。
【請求項１１】
少なくとも１種のハイドロフォビン、少なくとも１種の界面活性剤および溶剤を含むことを特徴とする硬質表面用洗剤、ガラス用洗剤、床用洗剤、万能洗剤、バス用洗剤、泡切れの良い洗剤、手動または食器洗い機用の食器洗浄剤、機械用洗剤、金属用油性洗剤、高圧洗浄剤、アルカリ洗剤、酸性洗剤、ポイント油性洗剤または酪農用洗剤。
【請求項１２】
少なくとも１種の溶剤が水を含む請求項１１に記載の洗剤。
【請求項１３】
ハイドロフォビンの含有量が洗剤の全ての成分の合計に対して０．０００１質量％〜１質量％の範囲である請求項１１または１２に記載の洗剤。
【請求項１４】
ハイドロフォビンの含有量が洗剤の全ての成分の合計に対して０．００１質量％〜０．１質量％の範囲である請求項１１または１２に記載の洗剤。
【請求項１５】
上記のハイドロフォビンが少なくとも１種の融合ハイドロフォビンを含む請求項１１〜１４のいずれか１項に記載の洗剤。
【請求項１６】
少なくとも１種のハイドロフォビンを含む防汚コーティングを含む硬質表面であって、上記の硬質表面がタイル、床、接続金具、洗面器、シャワーバス、浴槽、トイレ、シャワー室、バスルーム用備品、家具、鏡、食卓用食器類、刃物類、ガラス類、磁器用品の表面または家庭用電化製品の表面から成る群から選択されることを特徴とする硬質表面。
【請求項１７】
請求項４〜９のいずれか１項に記載の方法によって得られる、請求項１６に記載の硬質表面。
【国際調査報告】
2008534726.tif 000012
2008534726.tif 000013
2008534726.tif 000014
2008534726.tif 000015
2008534726.tif 000016
2008534726.tif 000017